【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
第１の筐体と第２の筐体がヒンジ機構を介して互いに開閉自在な構造を有する電子機器において、
前記第１の筐体と前記第２の筐体に個別に設けられた２つの音声機器と、
前記第１の筐体と前記第２の筐体の開閉状態を検出する開閉検出手段と、
前記第１および第２の筐体のうち、少なくとも機器本体としてユーザに保持される第２の筐体の向きを検出する向き検出手段と、
前記開閉検出手段によって検出される前記第１の筐体と前記第２の筐体の開閉状態と前記向き検出手段によって検出される筐体の向きに基づいて、前記２つの音声機器の両方または一方を使用して所定の音声処理を行う制御手段と
を具備したことを特徴とする電子機器。
【請求項２】
前記制御手段は、前記開閉検出手段によって前記第１の筐体と前記第２の筐体が開いた状態であることが検出された場合であって、前記向き検出手段によって検出される前記第２の筐体の向きが横向きであった場合に前記２つの音声機器の両方を使用し、前記第２の筐体の向きが横向き以外であった場合に前記２つの音声機器の一方を使用し、前記第１の筐体と第２の筐体が閉じた状態であることが検出された場合に、前記向き検出手段によって検出される前記第２の筐体の向きに関係なく、前記２つの音声機器の一方を使用することを特徴とする請求項１記載の電子機器。
【請求項３】
前記２つの音声機器は、音声データを出力するスピーカであって、
前記制御手段は、前記開閉検出手段によって検出される前記第１の筐体と前記第２の筐体の開閉状態と前記向き検出手段によって検出される筐体の向きに基づいて、前記２つのスピーカの両方を使用して音声データをステレオ形式で出力処理するか、または、前記２つのスピーカの一方を使用して音声データをモノラル形式で出力処理することを特徴とする請求項１または２記載の電子機器。
【請求項４】
前記２つの音声機器は、音声データを入力するマイクであって、
前記制御手段は、前記開閉検出手段によって検出される前記第１の筐体と前記第２の筐体の開閉状態と前記向き検出手段によって検出される筐体の向きに基づいて、前記２つのマイクの両方を使用して音声データをステレオ形式で入力処理するか、または、前記２つのマイクの一方を使用して音声データをモノラル形式で入力処理することを特徴とする請求項１または２記載の電子機器。
【請求項５】
前記２つのマイクの近傍に設けられた２つのカメラを備え、
前記制御手段は、前記２つのマイクの音声入力動作と連動させて前記２つのカメラによる画像データの入力処理を行うことを特徴とする請求項４記載の電子機器。
【請求項６】
第１の筐体と第２の筐体がヒンジ機構を介して互いに開閉自在な構造を有すると共に、前記第１の筐体と前記第２の筐体に２つの音声機器が個別に設けられた電子機器を制御するコンピュータに用いられるプログラムであって、
前記コンピュータに、
前記第１の筐体と前記第２の筐体の開閉状態を検出する開閉検出機能、
前記第１および第２の筐体のうち、少なくとも機器本体としてユーザに保持される第２の筐体の向きを検出する向き検出機能、
前記開閉検出機能によって検出される前記第１の筐体と前記第２の筐体の開閉状態と前記向き検出機能によって検出される筐体の向きに基づいて、前記２つの音声機器の両方または一方を使用して所定の音声処理を行う制御機能
を実現させることを特徴とするプログラム。
【手続補正２】
【補正対象書類名】明細書
【補正対象項目名】発明の名称
【補正方法】変更
【補正の内容】
【発明の名称】電子機器、及びプログラム
【手続補正３】
【補正対象書類名】明細書
【補正対象項目名】０００１
【補正方法】変更
【補正の内容】
【０００１】
本発明は、例えば折り畳み式の携帯電話機など、互いに開閉自在に取り付けられた２つの筐体からなる電子機器と、この電子機器に用いられるプログラムに関する。
【手続補正４】
【補正対象書類名】明細書
【補正対象項目名】００１０
【補正方法】変更
【補正の内容】
【００１０】
そこで、本発明は、折り畳み式構造を有する電子機器において、２つの筐体の開閉状態と筐体の向きに応じて個別の音声処理を行うことのできる電子機器、及びプログラムを提供することを目的とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明の請求項１に係る電子機器は、第１の筐体と第２の筐体がヒンジ機構を介して互いに開閉自在な構造を有する電子機器において、前記第１の筐体と前記第２の筐体に個別に設けられた２つの音声機器と、前記第１の筐体と前記第２の筐体の開閉状態を検出する開閉検出手段と、前記第１および第２の筐体のうち、少なくとも機器本体としてユーザに保持される第２の筐体の向きを検出する向き検出手段と、前記開閉検出手段によって検出される前記第１の筐体と前記第２の筐体の開閉状態と前記向き検出手段によって検出される筐体の向きに基づいて、前記２つの音声機器の両方または一方を使用して所定の音声処理を行う制御手段とを具備して構成される。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
また、本発明の請求項２は、前記請求項１記載の電子機器において、前記制御手段は、前記開閉検出手段によって前記第１の筐体と前記第２の筐体が開いた状態であることが検出された場合であって、前記向き検出手段によって検出される前記第２の筐体の向きが横向きであった場合に前記２つの音声機器の両方を使用し、前記第２の筐体の向きが横向き以外であった場合に前記２つの音声機器の一方を使用し、前記第１の筐体と第２の筐体が閉じた状態であることが検出された場合に、前記向き検出手段によって検出される前記第２の筐体の向きに関係なく、前記２つの音声機器の一方を使用することを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
また、本発明の請求項３は、前記請求項１または２記載の電子機器において、前記２つの音声機器は、音声データを出力するスピーカであって、前記制御手段は、前記開閉検出手段によって検出される前記第１の筐体と前記第２の筐体の開閉状態と前記向き検出手段によって検出される筐体の向きに基づいて、前記２つのスピーカの両方を使用して音声データをステレオ形式で出力処理するか、または、前記２つのスピーカの一方を使用して音声データをモノラル形式で出力処理することを特徴とする。
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】変更
【補正の内容】
【００２９】
また、本発明の請求項４は、前記請求項１または２記載の電子機器において、前記２つの音声機器は、音声データを入力するマイクであって、前記制御手段は、前記開閉検出手段によって検出される前記第１の筐体と前記第２の筐体の開閉状態と前記向き検出手段によって検出される筐体の向きに基づいて、前記２つのマイクの両方を使用して音声データをステレオ形式で入力処理するか、または、前記２つのマイクの一方を使用して音声データをモノラル形式で入力処理することを特徴とする。
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】変更
【補正の内容】
【００３１】
また、本発明の請求項５は、前記請求項４記載の電子機器において、前記２つのマイクの近傍に設けられた２つのカメラを備え、前記制御手段は、前記２つのマイクの音声入力動作と連動させて前記２つのカメラによる画像データの入力処理を行うことを特徴とする。
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】変更
【補正の内容】
【００４７】
本発明の請求項６に係るプログラムは、第１の筐体と第２の筐体がヒンジ機構を介して互いに開閉自在な構造を有すると共に、前記第１の筐体と前記第２の筐体に２つの音声機器が個別に設けられた電子機器を制御するコンピュータに用いられるプログラムであって、前記コンピュータに、前記第１の筐体と前記第２の筐体の開閉状態を検出する開閉検出機能、前記第１および第２の筐体のうち、少なくとも機器本体としてユーザに保持される第２の筐体の向きを検出する向き検出機能、前記開閉検出機能によって検出される前記第１の筐体と前記第２の筐体の開閉状態と前記向き検出機能によって検出される筐体の向きに基づいて、前記２つの音声機器の両方または一方を使用して所定の音声処理を行う制御機能を実現させることを特徴とする。
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】変更
【補正の内容】
【００５１】
本発明によれば、折り畳み式構造を有する電子機器において、第１の筐体と第２の筐体に２つの音声機器を個別に設け、第１の筐体と第２の筐体の開閉状態と第２の筐体の向きを検出するようにしたことで、前記２つの音声機器を第１の筐体と第２の筐体の開閉状態と第２の筐体の向きに応じて使い分けて、それぞれに個別の音声処理を行うことが可能となる。